(57)【要約】【課題】  ビデオデータストリームの欠落データ列再構築のためのＭＰＥＧビデオ記録媒体及び再生装置に関する。記録媒体の傷や他の不具合がデータストリーム読出の障害となり、リードソロモンの様な従来の誤り訂正法により、ある制限された範囲で訂正できる。【解決手段】  データ列再構築のため、元のＩフレームの少なくとも１つの複製又は類似Ｉフレームが記録媒体に記録される。置換Ｉフレームは、記録媒体外側領域又はプログラム領域に間欠的に配置され、従来の再生装置には影響を与えない。欠落又はエラーデータ列の再構築のための再生装置は、欠落又はエラーＩフレームのセクタアドレスを決定するためのエラー検出手段を有し、前記セクタアドレスは、記録媒体上で複製又は類似Ｉフレームの探索を開始するために使用され、欠落又はエラーＩフレームを、複製又は類似Ｉフレームで置き換える制御手段を有し、ビデオ復号器で再生される。
2005513930.tif 000002
【特許請求の範囲】
【請求項１】
ビデオデータストリームの欠落した又はエラーのあるデータ列の再構築のためのＭＰＥＧビデオ記録媒体（ＯＤ）において、
再生装置内での、ビデオデータストリームの欠落した又はエラーのあるデータ列の再構築のために、元のＩフレーム（Ｉ１、Ｉ２）に対しての、少なくとも１つの複製又は類似Ｉフレーム（Ｉ１＊、Ｉ２＊）が、記録媒体（ＯＤ）上に備えられていることを特徴とするＭＰＥＧビデオ記録媒体（ＯＤ）。
【請求項２】
元のＩフレーム（Ｉ１、Ｉ２）に対しての、複製又は類似Ｉフレーム（Ｉ１＊、Ｉ２＊）が、記録媒体（ＯＤ）上で、論理的及び物理的距離を隔てて配置されることを特徴とする請求項１に記載のＭＰＥＧビデオ記録媒体（ＯＤ）。
【請求項３】
元のデータストリームの、Ｉフレーム（Ｉ１、Ｉ２）に対しての、複製又は類似Ｉフレーム（Ｉ１＊、Ｉ２＊）が、グループ（ＧＯＰ＊）にまとめられて元のデータストリームに挿入され、記録媒体（ＯＤ）上に配置されていることを特徴とする請求項１に記載のＭＰＥＧビデオ記録媒体（ＯＤ）。
【請求項４】
索引情報アイテムが、記録媒体（ＯＤ）に保存され、前記索引情報アイテムは、元のＩフレーム（Ｉ１、Ｉ２）に対しての、複製又は類似Ｉフレーム（Ｉ１＊、Ｉ２＊）が配置されている記録媒体（ＯＤ）上の位置を特定していることを特徴とする請求項１に記載のＭＰＥＧビデオ記録媒体（ＯＤ）。
【請求項５】
索引情報アイテムは、記録媒体（ＯＤ）上の、ユーザデータ領域、または、複製若しくは類似Ｉフレーム（Ｉ１＊、Ｉ２＊）のグループ（ＧＯＰ＊）の後に配置されることを特徴とする請求項４に記載のＭＰＥＧビデオ記録媒体（ＯＤ）。
【請求項６】
ＭＰＥＧビデオ記録媒体（ＯＤ）からのビデオデータストリームの欠落した又はエラーのあるデータ列の再構築を行う再生装置において、
再生装置内に、
元のデータストリームの欠落又はエラーのあるＩフレーム（Ｉ１、Ｉ２）のセクタアドレスを決定するためのエラー検出手段を有し、
前記セクタアドレスは、記録媒体（ＯＤ）上で複製又は類似Ｉフレーム（Ｉ１＊、Ｉ２＊）の探索を開始するために使用され、
ビデオデータストリームの欠落した又はエラーのあるデータ列の再構築のために、元のデータストリームの欠落又はエラーのあるＩフレーム（Ｉ１、Ｉ２）を、複製又は類似Ｉフレーム（Ｉ１＊、Ｉ２＊）で置き換える制御手段を有し、
ビデオ復号器（ＶＤ−Ｕ）で再生することを特徴とする再生装置。
【請求項７】
エラー検出手段は、トラックバッファ（ＴＢ）に接続されているセクタ分析デバイス（ＳＡ−Ｕ）、または、ビデオ復号器（ＶＤ−Ｕ）であり、前記セクタ分析デバイス（ＳＡ−Ｕ）又はビデオ復号器（ＶＤ−Ｕ）は、制御手段として設けられているエラー処理ユニット（ＥＨ−Ｕ）に接続されていることを特徴とする請求項６に記載の再生装置。
【請求項８】
エラー検出手段は、データストリームを記録媒体（ＯＤ）からトラックバッファ（ＴＢ）へ入力するピックアップマネージャ（ＰＭ−Ｕ）であるか、タイムスタンプ又はデータストリーム中のマクロブロック数を評価する、セクタ分析デバイス（ＳＡ−Ｕ）又はビデオ復号器（ＶＤ−Ｕ）であることを特徴とする請求項６に記載の再生装置。
【請求項９】
制御手段は、エラー検出手段に接続されているエラー処理ユニット（ＥＨ−Ｕ）であり、
前記エラー処理ユニット（ＥＨ−Ｕ）は、セクタリクエスト（ＳＲ）により、記録媒体（ＯＤ）からの複製又は類似Ｉフレーム（Ｉ１＊、Ｉ２＊）を要求し、ビデオデータストリームの欠落又はエラーのあるデータ列の再構築のため、元のデータストリーム中の欠落又はエラーのあるＩフレーム（Ｉ１、Ｉ２）を置換することで、前記複製又は類似Ｉフレーム（Ｉ１＊、Ｉ２＊）をビデオ復号器（ＶＤ−Ｕ）に挿入することを特徴とする請求項６に記載の再生装置。
【請求項１０】
制御手段は、エラー検出手段により作動させられるファイルシステムマネージャ（ＦＭ）及びリクエスト制御ユニット（ＲＣ）と、双方向に接続されているナビゲーションマネージャ（ＮＭ）であり、
前記ナビゲーションマネージャ（ＮＭ）は、ピックアップマネージャ（ＰＵ−Ｍ）と協調して、記録媒体（ＯＤ）からの複製又は類似Ｉフレーム（Ｉ１＊、Ｉ２＊）を要求し、
ビデオデータストリームの欠落又はエラーのあるデータ列の再構築のために、元のデータストリームの欠落又はエラーのあるＩフレーム（Ｉ１、Ｉ２）は、ピックアップマネージャ（ＰＭ−Ｕ）に接続されているトラックバッファ（ＴＢ）内、または、ビデオ復号器（ＶＤ−Ｕ）内で、ファイルシステムマネージャ（ＦＭ）又はセクタ分析デバイス（ＳＡ−Ｕ）により複製又は類似Ｉフレーム（Ｉ１＊、Ｉ２＊）と置き換えられることを特徴とする請求項６に記載の再生装置。
【発明の詳細な説明】
【技術分野】
【０００１】
本発明は、ビデオデータストリームの欠落したデータ列の再構築のためのＭＰＥＧビデオ記録媒体及び再生装置に関する。
【背景技術】
【０００２】
ビデオＣＤやビデオＤＶＤのような、ＭＰＥＧビデオ記録媒体には、ＭＰＥＧ１ビデオ標準又はＭＰＥＧ２ビデオ標準に従った、連続データストリームが記録されている。この場合、ピクチャ列は、ＧＯＰと表現されるグループに細分されており、各ピクチャのグループは、イントラフレームと表現されるＩフレームで始まり、Ｉフレームの情報は、このグループ内の、その後に続くピクチャの再生に必須の情報を形成している。Ｉフレームの後には、Ｉフレームの後のピクチャを生成するために、Ｉフレームに対する差情報を含むＢフレームとＰフレームが続く。Ｂフレームは双方向フレーム、Ｐフレームは、予測フレームとしても表現される。欠落した又は乱れたＩフレームは、後に続くピクチャの再現を妨げる。記録媒体の引っかき傷や他の不具合が、記録媒体からのデータストリームの読出しの障害又は妨害となり、リードソロモン符号のような、従来からの誤り訂正法により、ある制限された範囲でのみ訂正することができる。例えば、ＤＶＤのためのＥＣＭＡ標準２６７は、空泡の直径は１００μｍより大きくてはならず、ブラックスポットの直径は、３００μｍより大きくてはならないと規定する。さらに、３０μｍより大きい欠陥の長さの合計が、３００μｍを超えてはならず、そのような欠陥は、６つまでしか許容されない。
【発明の開示】
【発明が解決しようとする課題】
【０００３】
従って、本発明は、乱された又は欠落したＩフレームにも関わらず、ビデオデータストリームの欠落したデータ列の再構築を可能とする記録媒体及び再生装置を提供することを目的とする。さらに、記録媒体の特別な特徴にも関わらず、従来の再生装置で元のデータストリームの再生を可能とすることも目的とする。
【０００４】
この目的は、独立請求項で特定される特徴により達成される。有利な改良は、従属請求項で特定される。
【課題を解決するための手段】
【０００５】
本発明の特徴の一つは、ＭＰＥＧビデオ記録媒体に保存された、追加Ｉフレーム又は置換Ｉフレームから成る追加情報アイテムを備えることである。これらＩフレームは、ビデオデータストリームの欠落したデータ列の再構築のために提供され、元のデータストリームに含まれたＩフレーム情報の複製、または、元のデータストリームより小さいデータ量の類似Ｉフレームである。この追加情報は、記録媒体上で、元のＩフレームの隣又は離れた位置に記録される。記録媒体の物理的距離により達成できるのは、元のデータストリーム中でＩフレームが乱された場合、該Ｉフレームを部分的に又は完全に再構築できることである。元のＩフレームからの物理距離は、追加Ｉフレームのために別個のデータストリームを設けることにより達成でき、データストリームは、セクションごとに連続データストリームにまとめられるか、元のデータストリームの後に記録される。追加情報アイテムの位置情報は、記録媒体上、または、この種の記録媒体ための記録再生装置内に保存される。追加Ｉフレーム及び前記追加Ｉフレームの記録位置情報を持つＭＰＥＧビデオ記録媒体は、従来の再生装置及びこの記録媒体のために特に提供される再生装置の両方で使用可能である。
【０００６】
追加データ量を少なくするために、元のＩフレームに対し、類似Ｉフレームが置換Ｉフレームとして使用される。例えば置換Ｉフレームとして、より小さいピクチャサイズの画像、つまり、空間解像度を減らしたり、カラーの代わりに白黒を使用したりすることで、小さいデータ量は達成できる。
【０００７】
元のＩフレームに加えて、一つ又はたくさんの、複製又は類似Ｉフレームを持つ記録媒体の再生は、追加情報アイテムが、従来の再生装置が無視する、専用のデータストリーム番号を持つＭＰＥＧデータストリーム、または、ユーザデータとして記録媒体に記録されることで、従来の再生装置でも行うことができる。
【０００８】
ＭＰＥＧビデオ記録媒体に保存された情報の再生装置において、欠落したデータストリームの再構築のために、Ｉフレームの無いことが検出され、データストリーム中の欠落又はエラーのあるＩフレームは、複製又は類似Ｉフレームにより置換される。複製又は置換Ｉフレームは、記録媒体上で追加情報として設けられている。この結果、光記録媒体に保存されている情報の完全な再生の信頼度が増すこととなる。
【０００９】
置換する必要がある、損傷又は欠落Ｉフレームは、データストリームの不連続を評価することで検出でき、各種の方法により確実に行うことができる。一例を挙げると、セクタナンバをモニタする方法、セクタの読出し不可を伝える走査デバイスからの信号を評価する方法がある。更に、Ｉフレームが不完全であるか損傷しているかを決定するために、伝送されているピクチャサイズを使用する復号器が設けられる。この場合、損傷したＩフレームの開始セクタ番号は、既に知られており、記録媒体に追加されているＩフレームを探すために利用できる。この形態によると、この開始セクタ番号のＩフレームを置換するＩフレームが保存されている位置を特定するテーブルが設けられる。ＭＰＥＧ２ビデオデータストリームの場合、例えば、各ピクチャのグループのために、追加Ｉフレームのセクタ番号が入力されたユーザデータ領域を利用することが可能である。前記テーブルは、欠落したＩフレームの検出にも有利に利用できる。これは、Ｉフレームの開始セクタ番号の列とテーブルのエントリを比較することで可能となる。この場合、置換されるＩフレームの番号が同時に決定される。
【００１０】
更に、Ｉフレームがないことは、グループ内の所定のピクチャ数を超えていること、または、データストリーム中のタイムスタンプ間の距離を評価することで決定できる。
【００１１】
損傷した又は欠落したＩフレームの同定後、記録媒体上で置換用として提供されているＩフレームが、要求され、要求に従いデータストリームに挿入される。復号された置換Ｉフレームは、その後、欠落したデータ列の再構築に利用される。
【００１２】
ＭＰＥＧビデオ記録媒体は、読出し専用、追記型又は書き換え可能型光記録媒体のいずれも可能である。読出し専用型の記録媒体の場合、置換Ｉフレームは、記録媒体のプログラム領域内の所定領域又はその外側の領域に間欠的に記録される。つまり、利用できるアドレスのため、置換Ｉフレームは、元のＩフレームの前と後に両方に配置される。よって、読出し専用型記録媒体の場合、置換Ｉフレームは、従来の再生装置による元のデータストリームの再生が影響されない方法で記録媒体に配置される。
【００１３】
追記型及び書き換え可能型記録媒体の場合は、所定の書き込み方法を守る必要がある。記録されるデータストリームは、一般的にはバッファリングされ、結果、含まれているＩフレームを分析することが可能である。所定数のピクチャグループ後、元のデータストリームに含まれているＩフレームの複製、または、元のＩフレームに対しての類似Ｉフレームが、ピクチャグループ後に続くセクタに記録される。更に、置換Ｉフレームの記録の間、元のＩフレームの開始セクタ番号と、複製又は類似Ｉフレームのセクタ番号を含むテーブルが形成される。前記テーブルは、置換Ｉフレームの後に、または、記録媒体上の離れた位置に記録される。この結果、テーブルで形成される索引のために、欠落又はエラーのあるデータ列の再構築に必要な、置換Ｉフレームの間欠的な記録となる。原理的には、総ての置換Ｉフレームと上記テーブルをデータストリームの最後に、または、記録媒体の記録領域の最後に記録することも可能である。
【００１４】
元のＩフレームに対して異なる又は同一の品質レベルを持った、一つ又はたくさんの複製が記録媒体に記録され、ＭＰＥＧビデオ情報の再生の間に欠落又は損傷したデータ列の再構築を有利に可能とする。
【００１５】
光記録媒体に引っかき傷又は他の損傷があると、Ｉフレームを読むことができず、通常、ピクチャ再生の中断となるが、置換Ｉフレームの使用の結果、ピクチャ再生に影響は及ぼさない。結果として、損傷した記録媒体に関わらず、記録されたビデオ情報の完全な再生が可能となる。元のＩフレームに対して、置換Ｉフレームの物理距離は、例えば、リードソロモンやチャネルバンドリングのような、エラー訂正の従来手段により許された距離の数倍以上大きくする。その結果、従来のエラー訂正ではもはや訂正できない、比較的大きく、多重に生じているエラーでさえ取り除くことができる。
【発明を実施するための最良の形態】
【００１６】
原理的には、本発明を有利に改良及び開発する種々の可能性がある。この点について、一方では請求項が参照され、他方では図面を用いて以下に説明する本発明の典型的な実施形態が参照される。
【００１７】
本発明を実施するための最良の実施形態について、以下では図面を用いて詳細に説明する。
【００１８】
図１には、光記録媒体ＯＤの比較的長い使用の後、または、不注意な取り扱いにより、しばしば生ずる欠陥の４つのタイプが、２つの光記録媒体ＯＤ上に図示されている。そのような欠陥の例として、指紋Ｅ１、ごみＥ２及び直線状の引っかき傷Ｅ３若しくは放射状の引っかき傷Ｅ４がある。光記録媒体ＯＤに記録された情報再生の間、前記欠陥は、読出しエラーや走査データストリームの妨害の原因となる。もしデータストリームが、ＭＰＥＧビデオデータストリームを含むＭＰＥＧデータストリームであれば、データストリームのセクタは、典型的には、図２に示すような、ピクチャグループを形成する。
【００１９】
ビデオシーケンスの個々のピクチャは、フレームと表現され、標準では、デジタルビデオ標準のピクチャデータレートは、１６７Ｍｂ／ｓである。圧縮なしに、ビデオ情報は、４．７ＧＢの記録容量を持つビデオＤＶＤに約４分間のみ記録することができる。しかし、ピクチャの個々の画素には、明るさや色に関してのデジタル情報が割り当てられ、ビデオ信号は多数の冗長な情報を含んでいる。動かないピクチャの構成部分は、比較的長い時間変化がないので、ピクチャ又はフレームの変化を符号化すれば十分である。よって、ＭＰＥＧデータストリームは、他のフレームとは独立し、完全なピクチャについての情報を有するＩフレームＩと、ＢフレームＢと、ＰフレームＰを含む。ＢフレームＢは、フレームの圧縮データの内容を計算するために、先行するフレームを利用し、ＰフレームＰは、Ｉフレームとの差を表現する。Ｐフレームは、先行するフレームを分析し、オブジェクトが次ぎのフレームで存在する位置を評価する。図２に示すように、ＩフレームＩの後には、それぞれの数の異なるピクチャが続き、前記ピクチャは、個々のピクチャを形成するために開始フレームＩ１を必要とする。もしＩフレームＩ１を、例えば、記録媒体ＯＤから読み出すことができず、従来の誤り訂正では訂正できなかった場合、後に続く、該グループのピクチャＢ、Ｂ、Ｐ、Ｂ、Ｂ、Ｐ、Ｂ、Ｂもまた、形成することはできない。よって完全なデータ列の再生は、妨害される。
【００２０】
ゆえに、ＭＰＥＧビデオ記録媒体は、ピクチャグループの再構築のために、妨害されたＩフレームＩ１の、置換情報アイテム又は置換ＩフレームＩ１＊が、ピクチャ連続の妨害を防ぐため、または、少なくとも減らすために記録されて提供される。図３の概略図に示すように、この置換情報は、光記録媒体ＯＤの、元のデータストリームの記録領域Ａ内に保存、または、元のデータストリーム記録領域Ａの外にある記録領域Ｂに別に保存される。置換情報アイテムは、従来の再生装置手段による再生が、邪魔されず、影響されない方法で記録媒体ＯＤに記録される。この目的のために、置換情報アイテムは、ＤＶＤ標準ではないが、ストリームＩＤ等で形成される専用データストリーム番号を有する別のデータストリームで提供され、または、追加又は置換アイテムが、各ピクチャのグループの前に位置する、いわゆるユーザデータ領域に、ビデオ情報としては再生されないＧＯＰを構成し記録されて提供される。結果として、従来の装置において、元のデータストリームに入れられたとしても、置換情報アイテムはエラーとして無視され、または、スキップされる。好ましくは、図６に示すように、追加又は置換情報アイテムは、複数のピクチャグループＧＯＰ毎に、元のデータストリームに挿入される。グループＧＯＰ＊の中には複数の置換ＩフレームＩ＊を保存することが適切であり、例えば、２０の置換ＩフレームＩ１＊〜Ｉ２０＊が、ピクチャグループＧＯＰ＊ａを形成する。追記型又は書き換え型記録媒体のために、これらの置換ＩフレームＩ＊のグループＧＯＰ＊間の距離は、元のピクチャ情報の最小距離に起因し、結果として、光記録媒体ＯＤへの記録に選択された誤り訂正法の最大エラー訂正長と、記録操作の間に、置換ＩフレームＩ＊のグループＧＯＰ＊を、光記録媒体ＯＤに書き込むまで保持する書き込みメモリのサイズに依存する。
【００２１】
図７は、複製又は類似ＩフレームＩ＊についての索引を生成するために使用されるテーブルＴＢ１及びＴＢ２の内容例を示す図である。この場合、これらテーブルＴＢ１及びＴＢ２は、テーブルＴＢとして、記録操作の終了後に、プライベートデータストリーム識別子であるＴａｂｌｅＩＤと共に、データストリームとして記録されることを想定している。このプライベートデータストリーム識別子ＴａｂｌｅＩＤは、例えば、ｐｒｉｖａｔｅ＿ｓｔｒｅａｍ＿ｉｄであり、従来の再生装置では、同様に無視され、スキップされる。
【００２２】
この構造のおいて、第１テーブルＴＢ１は、データストリーム識別子であるＴａｂｌｅＩＤと、エントリ数ＥｎｔｒｙＴａｇ［ＭＡＸＥＮＴＲＩＥＳ］と、前のテーブルへのポインタＰｒｅｖｉｏｕｓＴａｂｌｅを含み、たくさんの相互に独立したビデオデータストリームの記録再生のために特に提供される。
【００２３】
しかし、前のテーブルへのポインタ、ＰｒｅｖｉｏｕｓＴａｂｌｅもまた、ビデオデータストリームの中の他のグループＧＯＰ＊にある置換ＩフレームＩ＊を見つけることを可能とし、このために、記録媒体の終わりや、たくさんのビデオデータストリーム中に完全なテーブルを保存する必要はない。
【００２４】
記録の終わりは、置換ＩフレームＩ＊が保存されている最後のグループＧＯＰ＊の後に続く、テーブルＴＢの第２テーブルＴＢ２により直接形成される。
【００２５】
図８に示すように、テーブルＴＢへのポインタは、従来の再生装置に提供されているファイルシステムＦＳ内又は別のディレクトリ内に保存される。
【００２６】
図７の第２テーブルＴＢ２に従った、索引テーブルは、元のＩフレームＩの位置ＲｅｆｅｒｅｎｃｅＦｒａｍｅＳｅｃｔｏｒＩＤと、置換ＩフレームＩ＊位置ＲｅｄｕｎｄａｎｔＦｒａｍｅＳｅｃｔｏｒＩＤと、前記置換ＩフレームＩ＊を、元のデータストリームの再構成に使用可能とするための条件を明らかにする識別子ＦｒａｍｅＩｎｆｏＦｌａｇｓとを含む。
【００２７】
追加情報アイテムを有するビデオデータストリームの概要を図８に示す。ファイルシステムＦＳの後に、元のビデオデータストリームであるＭＶと、置換ＩフレームＩ＊と、テーブルＴＢを含むビデオデータストリーム列ＳＭＶＳが続く。ビデオデータストリーム列ＳＭＶＳの後の領域ＥＯＮＳは、空であるか、続きのビデオデータストリーム列ＳＭＶＳである。
【００２８】
置換情報を有するＭＰＥＧビデオ記録媒体からの元のビデオデータストリームの欠落したデータ列の再構成のための再生装置の構成を図４に示す。光記録媒体ＯＤから光走査デバイスＰＵにより読み出されたＭＰＥＧデータストリームは、走査デバイスＰＵに接続されたトラックバッファＴＢと呼ばれるメモリに入力される。トラックバッファＴＢには、データストリームをビデオとオーディオそれぞれのストリームに分けるセクタ分析デバイスＳＡ−Ｕが接続され、その後再生のために、ビデオＶＤ−Ｕ及びオーディオＡＤ−ＵといったそれぞれのＭＰＥＧ復号器に入力される。
【００２９】
もし、従来のエラー訂正法では除去できない記録媒体の障害があった場合、ＭＰＥＧデータストリームにギャップが生じ、個々のピクチャ又はピクチャグループ全体が妨害される。これらギャップは、セクタ分析デバイスＳＡ−Ｕでのセクタ分析又はビデオ復号器ＶＤ−Ｕでのピクチャの復号中に検出され、欠落又はエラーのあるＩフレームＩのセクタアドレスについての情報がエラー処理ユニットＥＨ−Ｕに伝えられる。エラー処理ユニットＥＨ−Ｕは、ピクチャの進行妨害を除去又は減少させる追加又は置換情報アイテムが、光記録媒体ＯＤ上に存在するか否かを決定するための確認を開始する。置換情報アイテムは、エラー処理ユニットＥＨ−Ｕにより、セクタリクエストＳＲで走査デバイスＰＵに要求され、ビデオ復号器ＶＤ−Ｕ内のピクチャの復号に入れられる。
【００３０】
図５は、第二実施形態を示すブロック図であり、図５によると、再生デバイスのユーザインタフェースの監視機能を有するナビゲーションマネージャＮＭが設けられている。ナビゲーションマネージャＮＭは、ナビゲーションマネージャＮＭと双方向で通信するファイルシステムマネージャＦＭの手段を用い、リクエストされた光記録媒体ＯＤのＭＰＥＧデータストリームの開始位置から、光記録媒体ＯＤへのアクセスを開始する。このため、ファイルシステムマネージャＦＭは、このリクエストをピックアップマネージャＰＵ−Ｍに転送し、その結果、光走査デバイスＰＵがデータストリームの伝送を開始する。要求されたデータは、走査デバイスＰＵによりピックアップマネージャＰＵ−Ｍに伝えられ、トラックバッファＴＢに入力される。ファイルシステムマネージャＦＭは、トラックバッファＴＢのこれらセクタを読み出し、それらからＭＰＥＧデータストリーム開始位置を決定し、開始位置は、ナビゲーションマネージャＮＭに転送される。ＭＰＥＧデータストリーム開始位置は、光記録媒体ＯＤから、再生のためビデオＶＤ−ＵやオーディオＯＤ−Ｕといった対応するＭＰＥＧ復号器に、ＭＰＥＧデータデータストリームを伝送するためにも用いられる。この場合、ナビゲーションマネージャＮＭは、ＭＰＥＧデータストリーム開始位置をリクエスト制御ユニットＲＣへ転送し、これにより、ピックアップマネージャＰＵ−Ｍは、光走査デバイスＰＵにより光記録媒体ＯＤから得られる、連続ＭＰＥＧデータストリームの読出しを行う。
【００３１】
ＭＰＥＧデータストリームは、このように、光記録媒体ＯＤから、走査デバイスＰＵを経由して、ピックアップマネージャＰＵ−Ｍへ渡され、ＰＵ−Ｍは、データをトラックバッファＴＢの監視下に入れ、データストリームの連続性を監視する第一の測定を実行する。この場合、目標達成のため、データストリーム中のギャップをなくすため又は減らすために繰り返して読出しが行われ、メッセージが、データストリーム中のギャップを通知するために、下流にあるセクタ分析デバイスＳＡ−Ｕに送られる。セクタ分析デバイスＳＡ−Ｕは、ピックアップマネージャＰＵ−Ｍにより入力されたＭＰＥＧデータストリームが保存されているセクタの位置を表すトラックバッファＴＢの開始アドレスのリスト受信する。セクタ分析デバイスＳＡ−Ｕは、ＭＰＥＧデータストリームの個々の部分データストリームを、このリストとセクタの内容により分配する。部分的なリストが生成され、下流にあるビデオＶＤ−ＵとオーディオＡＤ−ＵのＭＰＥＧ復号器に転送される。
【００３２】
加えて、セクタ分析デバイスＳＡ−Ｕは、ＭＰＥＧビデオデータストリームが、ＩフレームＩのギャップを持っているか否かを見つけるために、ピックアップマネージャＰＵ−Ｍにより既に実行されたデータストリームの検査を、データストリーム中に存在する、セクタ番号やＭＰＥＧデータセクションの開始識別子といった情報を用いることで拡張して行う。もしギャップがある場合、エラー通知が、エラー処理ユニットＥＨ−Ｕへ行われる。更に、ＭＰＥＧデータストリームの終わりであるといったように、範囲を超えた状態は、捕捉され、リクエスト制御ユニットＲＣを経由してナビゲーションマネージャＮＭに通知される。
【００３３】
ビデオ復号器ＶＤ−Ｕは、ビデオセクタを有するトラックバッファＴＢ内のＭＰＥＧデータストリームのセクタ位置の部分的なリストを受信する。もし、欠落又は損傷したＩフレームＩが、例えば、タイムスタンプを評価することにより、または、ビデオデータストリームで転送されるピクチャサイズと存在するマクロブロック数の比較により、この段階で検出された場合、エラー通知が同様にエラー処理ユニットＥＨ−Ｕへ行われる。エラー処理ユニットＥＨ−Ｕは、リクエスト制御ユニットＲＣにより追加情報アイテムを有するテーブルへアクセスを開始し、その後、前記付加的な情報アイテムは、走査デバイスＰＵから、ピックアップマネージャＰＵ−Ｍとセクタ分析デバイスＳＡ−Ｕを経由しエラー処理ユニットＥＨ−Ｕに通知される。エラー処理ユニットＥＨ−Ｕは、テーブルから、欠落又は損傷したＩフレームＩの可能な置換となる表示を決定し、リクエスト制御ユニットＲＣとピックアップマネージャＰＵ−Ｍを経由して走査デバイスＰＵを用い、光記録媒体ＯＤから、セクタストリームの新たな照会を開始する。
【００３４】
その後に続くデータストリームは、走査デバイスＰＵ及びピックアップマネージャＰＵ−Ｍからセクタ分析デバイスＳＡ−Ｕへと伝送される。もし、データストリーム中のエラーがこの段階で既に検出されたとすると、置換ＩフレームＩ１＊を、元のデータストリーム中に入れることが可能である。もし、たくさんの欠落ＩフレームＩ１、Ｉ２、・・・を持つギャップが含まれていれば、各置換されたＩフレームＩは、更なる置換ＩフレームＩ２＊を要求すべきか否かを検査するエラー処理ユニットＥＨ−Ｕで処理される。もしそうでないとした場合も、エラー処理ユニットＥＨ−Ｕは、ギャップが検出されたセクタナンバで始まる、新しいデータストリームを要求することができる。元のＭＰＥＧデータストリームの通常処理がこのポイントから再開される。
【００３５】
もし、データストリーム中のエラーが、ビデオ復号器ＶＤ−Ｕで検出された場合、エラー処理ユニットＥＨ−Ｕが、同様にテーブルを要求する。前記テーブルより明らかとなる置換ＩフレームＩ＊の開始アドレスは、続いて決定され、置換ＩフレームＩ＊が要求される。復号された置換ＩフレームＩ＊は、その後、ピクチャグループのデータストリームの再要求の際に、欠落又は損傷したＩフレームＩを置き換える。もし、この場合において、たくさんのＩフレームＩが影響を受けていた場合、エラー処理ユニットＥＨ−Ｕが置換ＩフレームＩ＊を要求することが必要となり、前記置換ＩフレームＩ＊は、有効又は元のＭＰＥＧビデオデータストリームが再びビデオ復号ユニットＶＤ−Ｕに渡されるまで復号及び再生される。
【００３６】
結果として、妨害のない、記録されたビデオ情報の完全な再生が、従来のエラー訂正法では訂正できない欠陥をもつ、損傷した記録媒体に関わらず可能となる。
【００３７】
上記実施形態は、単なる例示であり、当業者により行われる本発明の範囲内の、他の実施形態をも含む。
【図面の簡単な説明】
【００３８】
【図１】光記録媒体の欠陥を示す図である。
【図２】ビデオデータストリームのフレームを示す図である。
【図３】光記録媒体の置換情報アイテムの配置を示す図である。
【図４】ＭＰＥＧビデオ記録媒体のための第１再生装置の概略図である。
【図５】ＭＰＥＧビデオ記録媒体のための第２再生装置のブロック図である。
【図６】元のデータストリームの追加又は置換情報アイテムの配置を示す図である。
【図７】複製又は類似Ｉフレームに関してのコンコーダンス作成に使用されるテーブルの内容を表す図である。
【図８】ビデオデータストリーム構造の概略図である。
【符号の説明】
【００３９】
Ｅ１  指紋
Ｅ２  ごみ
Ｅ３  直線状の引っかき傷
Ｅ４  放射状の引っかき傷
ＯＤ  光記録媒体
ＰＵ  光走査デバイス
ＴＢ  トラックバッファ
ＥＨ−Ｕ  エラー処理ユニット
ＳＡ−Ｕ  セクタ分析デバイス
ＶＤ−Ｕ  ビデオ復号器
ＡＤ−Ｕ  オーディオ復号器
ＳＲ  セクタリクエスト
ＮＭ  ナビゲーションマネージャ
ＦＭ  ファイルシステムマネージャ
ＰＵ−Ｍ  ピックアップマネージャ
ＲＣ  リクエスト制御ユニット
【図１】
2005513930.tif 000003
【図２】
2005513930.tif 000004
【図３】
2005513930.tif 000005
【図４】
2005513930.tif 000006
【図５】
2005513930.tif 000007
【図６】
2005513930.tif 000008
【図７】
2005513930.tif 000009
【図８】
2005513930.tif 000010
【国際調査報告】
2005513930.tif 000011
2005513930.tif 000012